(57)【要約】【課題】  本発明は、安定した仮置きができ、さらには、取付けた後においても、十分な強度を確保することが可能なバンパーの取付構造を提供することにある。【解決手段】  本発明は、フロントバンパー２の裏面側に縦方向へ延びるリブのシュラウド８を設け、該シュラウド８の下方に車体フレーム１のクロスメンバー１ａと当接する上側受け部９を配設している。【選択図】          図４
2006035921.tif 000002
【特許請求の範囲】
【請求項１】
バンパーの裏面側に縦方向へ延びるリブを設け、該縦方向のリブの下方に車体フレームのクロスメンバーと当接する受け部を配設したことを特徴とするバンパーの取付構造。
【請求項２】
前記縦方向のリブは、シュラウドであることを特徴とする請求項１に記載のバンパーの取付構造。
【請求項３】
前記バンパーの裏面下部には、前記受け部と下側懸架ステーとが配設され、これら受け部と下側懸架ステーとによって前記車体フレームのクロスメンバーを挟持するようにしたことを特徴とする請求項１または２に記載のバンパーの取付構造。
【請求項４】
前記受け部と前記下側懸架ステーとは、垂直方向でほぼ同一位置に配置されていることを特徴とする請求項３に記載のバンパーの取付構造。
【請求項５】
前記受け部の前記クロスメンバーとの接触する面の先端には、傾斜面が形成されていることを特徴とする請求項１〜４のいずれかに記載のバンパーの取付構造。
【発明の詳細な説明】
【技術分野】
【０００１】
本発明は、車両のバンパーの取付構造に関し、詳しくは、バンパーの仮置き構造に関するものである。
【背景技術】
【０００２】
車両のバンパーは、一般的に、合成樹脂材によって形成されていると共に、衝撃を吸収するために、板厚が薄く形成されている。
したがって、このようなバンパーでは、変形し易く、かつ取付作業が煩雑になる。そのため、従来のバンパーの中には、仮置き手段を備えているものがある（例えば、特許文献１参照）。
この従来例に開示されているバンパーの仮置き手段は、バンパーの上縁にリブを車両後方へ向けて立設すると共に、車体フレームのバンパー用リーンホースの上面に切起こし部またはブラケットを設けることによって構成されている。そして、バンパーの取付けに際しては、当該バンパーのリブをバンパー用リーンホースの切起こし部またはブラケットに差し込むことによって、仮置きが行われている。
【特許文献１】特開平９−５２５６３号公報
【発明の開示】
【発明が解決しようとする課題】
【０００３】
ところで、乗用車等のバンパーでは、ラジエータグリルを一体に備えたものが一般的になっている。このようなバンパーは、大型で重量が増大するため、上記した従来例の仮置き手段の構造では、バンパーを十分に支持できないことがある。そればかりでなく、バンパーを取付けた後においても、車体が上下動する車両走行時に、バンパーに自重による荷重が掛かると、バンパーに変形が起こり、バンパーにずれや捩れが生じるため、周辺部品のフェンダーやヘッドランプとの相対的位置がずれてしまうおそれがある。
【０００４】
本発明は、このような実状に鑑みてなされたものであって、その目的は、安定した仮置きができ、さらには、取付けた後においても、十分な強度を確保することが可能なバンパーの取付構造を提供することにある。
【課題を解決するための手段】
【０００５】
上記従来技術の有する課題を解決するために、請求項１のバンパーの取付構造では、バンパーの裏面側に縦方向へ延びるリブを設け、該縦方向のリブの下方に車体フレームのクロスメンバーと当接する受け部を配設している。
【０００６】
請求項２のバンパーの取付構造では、請求項１の発明において、前記縦方向のリブが、シュラウドである。
【０００７】
請求項３のバンパーの取付構造では、請求項１または２の発明において、前記バンパーの裏面下部に、前記受け部と下側懸架ステーとが配設され、これら受け部と下側懸架ステーとによって前記車体フレームのクロスメンバーを挟持するようにしている。
【０００８】
請求項４のバンパーの取付構造では、請求項３の発明において、前記受け部と前記下側懸架ステーとが、垂直方向でほぼ同一位置に配置されている。
【０００９】
請求項５のバンパーの取付構造では、請求項１〜４のいずれかの発明において、前記受け部の前記クロスメンバーとの接触する面の先端に、傾斜面が形成されている。
【発明の効果】
【００１０】
請求項１の発明によれば、受け部を車体フレームのクロスメンバーに載せれば、バンパーの仮置きが行え、その作業が容易であるばかりでなく、バンパーの自重をクロスメンバーに効率的に保持することができる。また、バンパーは、縦方向のリブによって剛性が高められることになるので、耐久性を有する十分な強度を得ることができる。
【００１１】
請求項２の発明によれば、縦方向のリブがシュラウドであるので、請求項１の発明と同様の効果を得ることができる。
【００１２】
請求項３の発明によれば、受け部と下側懸架ステーとによって車体フレームのクロスメンバーを挟むようにして差し込めば、バンパーの仮置きも可能となり、その作業が容易になる上、バンパーをクロスメンバーに確実に保持することができる。また、受け部に加えて下側懸架ステーが設けられているので、より一層の剛性向上を図ることができると共に、車体の上下方向の振動を防止できる。
【００１３】
請求項４の発明によれば、バンパーがクロスメンバーに対してほぼ垂直方向の上下で支持されることになるので、安定して保持することができる。
【００１４】
請求項５の発明によれば、バンパーをクロスメンバーに仮置きするに際して、上側受け部の傾斜面によってバンパーが案内されるので、仮置き作業を容易に行うことができる。
【発明を実施するための最良の形態】
【００１５】
以下、本発明に係るバンパーの取付構造を、図面を参照しながら説明する。
【００１６】
図１は本発明の実施の形態に係るバンパーの取付構造が適用される車両の前部構造を示す分解斜視図、図２は部品を組付けた状態の車両の前部を示す斜視図、図３はバンパーの取付構造の要部であるバンパーの後部構造を示す斜視図、図４は図３のバンパーを車体フレームのクロスメンバーに取付けた状態を示す断面図、図５は本発明の更に他の実施の形態に係るバンパーの取付構造を示すバンパーの後部構造の斜視図である。
【００１７】
車両の前部部品は、図１および図２に示すように、車体フレーム１の前部を覆うように配置されるフロントバンパー２、車体フレーム１の左右両側部をそれぞれ覆うように配置されるフロントフェンダー３、該フロントフェンダー３の端部内側とフロントバンパー２の側部上縁との間に配置されるヘッドランプ４等である。
【００１８】
フロントバンパー２は、中央部および中央上部にそれぞれフロントグリル６を備えている。フロントバンパー２の左右両側部の上縁には、ヘッドランプ４の下部を収容する切欠き７が設けられており、フロントグリル６の裏面側両側部には、縦方向へ延びるシュラウド（縦方向のリブ）８が設けられている。
【００１９】
また、フロントバンパー２の裏面下部であって、フロントグリル６の左右両側を形成するシュラウド８の下端には、図３に示すように、上側受け部９が立設されている。この上側受け部９の下面は、車体フレーム１のクロスメンバー１ａの上面と対応する高さ位置に設けられている。そして、上側受け部９の後端は、ねじ１０によってシュラウド８の下端に締結されている。このため、上側受け部９の後面側は、シュラウド８の下端を重ね合わせる垂直面となっており、この垂直面には、ねじ１０を収納するボス部９ａが車両前方へ向かって突設されている。また、上側受け部９の下面側後端には、図４に示すように、車両後方へ向かって斜め上方に傾斜する傾斜面９ｂが形成されており、該傾斜面９ｂによって、フロントバンパー２の仮置きに際して当該バンパーを案内するようになっている。
【００２０】
したがって、本発明の実施の形態に係るバンパーの取付構造において、フロントバンパー２は、図１および図３に示すように、フロントグリル６の左右両側を形成するシュラウド８の下端に上側受け部９が立設され、上側受け部９を車体フレーム１のクロスメンバー１ａに載せることによって、縦方向のリブによってバンパーの剛性が高められている下端でバンパーの自重をクロスメンバー１ａに効率的に保持することができる。
また、当該フロントバンパー２の組み付け作業において、上側受け部９を車体フレーム１のクロスメンバー１ａの上に載せれば、クロスメンバー１ａに仮置きされることなる。そして、この状態でねじ等によって締付ければ、車体フレーム１等の適宜箇所に固定されることになる（図４参照）。
【００２１】
一方、本発明の他の実施の形態に係るバンパーの取付構造において、フロントバンパー２の裏面側の下縁には、図３および図４に示すように、下側懸架ステー１１が上側受け部９の下方に位置して更に配設されている。すなわち、この下側懸架ステー１１と上側受け部９とは、垂直方向でほぼ同一位置に設けられており、フロントバンパー２の上下方向のガタつきを防ぐ構造となっている。また、下側懸架ステー１１は、図４に示すように、車両後方へ向かって延出しながら斜め上方に立ち上がった屈曲形状に形成されており、車両後方側の上部１２は、車体フレーム１のクロスメンバー１ａの下面に沿って配置可能な高さ位置で、ほぼ水平面状に形成されている。しかも、下側懸架ステー１１の上部１２の後端には、車両後方へ向かって斜め下方に傾斜する傾斜面１２ａが形成されている。
【００２２】
したがって、このような本発明の他の実施の形態に係るバンパーの取付構造において、フロントバンパー２は、図４に示すように、上側受け部９と下側懸架ステー１１とによって、車体フレーム１のクロスメンバー１ａを挟み込むようにして差し込めば、クロスメンバー１ａに仮置きされることなる。そして、この状態でねじ等によって締付ければ、車体フレーム１等の適宜箇所に固定されることになる。
【００２３】
なお、上記した実施の形態では、上側受け部９がシュラウド８の直下に設置されているが、図５に示すように、フロントグリル６の両側を形成する縦リブ６ａの下方に設置されてもよい。
【００２４】
以上、本発明の実施の形態につき述べたが、本発明は既述の実施の形態に限定されるものではなく、本発明の技術的思想に基づいて各種の変形および変更が可能である。
【図面の簡単な説明】
【００２５】
【図１】本発明の実施の形態に係るバンパーの取付構造が適用される車両の前部構造を示す分解斜視図である。
【図２】部品を組付けた状態の車両の前部を示す斜視図である。
【図３】バンパーの取付構造の要部であるバンパーの後部構造を示す斜視図である。
【図４】図３のバンパーを車体フレームのクロスメンバーに取付けた状態を示す断面図である。
【図５】本発明の更に他の実施の形態に係るバンパーの取付構造を示すバンパーの後部構造の斜視図である。
【符号の説明】
【００２６】
１  車体フレーム
１ａ  クロスメンバー
２  フロントバンパー
６  フロントグリル
８  シュラウド（縦方向のリブ）
９  上側受け部
９ａ  ボス部
９ｂ  傾斜面
１０  ねじ
１１  下側懸架ステー
１２  下側懸架ステーの上部
【図１】
2006035921.tif 000003
【図２】
2006035921.tif 000004
【図３】
2006035921.tif 000005
【図４】
2006035921.tif 000006
【図５】
2006035921.tif 000007